(57)【特許請求の範囲】
【請求項１】
少なくとも波長４１０ｎｍ以下の光を透過する透光性材料製の気密容器と；
容器外面の少なくとも一部の領域に可視光線の干渉が発生することがないように膜厚が０．０１μｍないし０．１μｍの範囲内で形成された波長５５０ｎｍの可視光透過率が波長３６５ｎｍの紫外線透過率より１５％以上高い光触媒膜と；
気密容器内に配設した発光手段と；
を具備していることを特徴とする光源。
【請求項２】
光照射開口を有する照明器具本体と；
照明器具本体に支持されて少なくとも波長４１０ｎｍ以下の光を発生する光源と；
照明器具本体の投光開口に配設され、可視光および波長４１０ｎｍ以下の光を透過する基材と；
この基材の両面または片面の少なくとも一部の領域に可視光線の干渉が発生することがないように膜厚が０．０１μｍないし０．１μｍの範囲内で形成された波長５５０ｎｍの可視光透過率が波長３６５ｎｍの紫外線透過率より１５％以上高い光触媒膜と；
を具備していることを特徴とする照明器具。
【請求項３】
基材は、透光性カバーであることを特徴とする請求項２記載の照明器具。
【請求項４】
基材は、透光性グローブであることを特徴とする請求項２記載の照明器具。
【発明の詳細な説明】
【０００１】
【発明の属する技術分野】
本発明は、光触媒を利用した光源および照明器具に関する。
【０００２】
【従来の技術】
酸化チタンなどの金属酸化物半導体がそのバンドギャップエネルギーより高い光エネルギーを吸収すると、価電子帯の電子が伝導帯に光励起され、半導体の表面に電子、正孔対が生成し、それぞれが強い酸化、還元作用を呈するので、このような金属酸化物半導体は光触媒として利用することができる。光触媒は概ね波長４１０ｎｍ以下の紫外線照射によって活性化することができる。このような波長域の紫外線は太陽光線を始め、蛍光ランプ、白熱電球および高輝度放電ランプなどの人工光源の放射光に含まれている。
【０００３】
この光触媒を照明器具に応用した提案もなされている。たとえば特開平７−１１１１０４号公報には、照明器具の透光性カバーの内面に光触媒反応を示す半導体物質を存在させた構造を有し、透光性カバーの内外に空気を流通させることにより、消臭または消毒を行うようにすることが開示されている。この照明器具は、本来の照明の目的を維持しながら放射される紫外線を有効に利用して光触媒を活性化して室内空気の消臭または消毒をしようとするものである。
【０００４】
【発明が解決しようとする課題】
ところで、光触媒膜として酸化チタンを用いる場合、チタンアルコキシドを応用して形成することが知られている。こうして形成された光触媒膜は、透過率は高いが、光触媒効果が低くなることがある。これは光触媒膜中に光触媒効果が高いアナターゼ形酸化チタンの量が少なくなるためである。この対策として透過率を少し犠牲にして膜厚を大きくする必要がある。
【０００５】
しかし、酸化チタンの屈折率は比較的高いので、膜厚が厚くなると可視光の干渉により虹色の干渉色が発生してしまう。
【０００６】
上記特開平７−１１１１０４号公報に記載の照明器具も、その光触媒膜の光吸収スペクトル測定結果を示す図面から可視光の透過率が低いので照明器具効率が低下してしまっているばかりでなく、光干渉ピーク波形が表れていることことが分かる。
【０００７】
この干渉色は、被照射物に対して影響するとともに、照明器具自体の外観も損なわれるため、好ましくない。
【０００８】
本発明は、光触媒効果を損なうことなく、可視光線の透過率が高く干渉色が発生しない光源および照明器具を提供することを目的とする。
【０００９】
【課題を解決するための手段】
請求項１の光源は、少なくとも波長４１０ｎｍ以下の光を透過する透光性材料製の気密容器と；容器外面の少なくとも一部の領域に可視光線の干渉が発生することがないように膜厚が０．０１μｍないし０．１μｍの範囲内で形成された波長５５０ｎｍの可視光透過率が波長３６５ｎｍの紫外線透過率より１５％以上高い光触媒膜と；気密容器内に配設した発光手段と；を具備していることを特徴とする。請求項２の照明器具は、光照射開口を有する照明器具本体と；照明器具本体に支持されて少なくとも波長４１０ｎｍ以下の光を発生する光源と；照明器具本体の投光開口に配設され、可視光および波長４１０ｎｍ以下の光を透過する基材と；この基材の両面または片面の少なくとも一部の領域に可視光線の干渉が発生することがないように膜厚が０．０１μｍないし０．１μｍの範囲内で形成された波長５５０ｎｍの可視光透過率が波長３６５ｎｍの紫外線透過率より１５％以上高い光触媒膜と；を具備していることを特徴とする。
【００１０】
本発明および以下の関連する他の発明において、特に指定のない場合に、少なくとも波長４１０ｎｍ以下の光とは、４１０ｎｍ以下の光に加えて４１０ｎｍを超える可視光を含むことを許容する。また、４１０ｎｍ以下の光およびまたは可視光としては太陽光線、人工光線のいずれか、または両方でもよく、波長域も任意である。しかし、人工光源では蛍光ランプや殺菌ランプまたはブラックライトなどにおけるように低圧水銀蒸気放電により発生する１８５ｎｍ、２５４ｎｍ、高圧水銀ランプ等のように高圧水銀蒸気放電により発生する３６５ｎｍ、４１０ｎｍなどの水銀の特性スペクトルの他に各種蛍光体によりほぼ任意の波長の光を発生させることができる。
【００１１】
基材としては、４１０ｎｍ以下の光を選択的に透過する性質を有する任意の物質と、併せて可視光をも透過する性質を有する物質との中から任意のものを選択して使用することができる。たとえば各種のガラス特に照明用途に多用されているソーダライムガラス、ほう珪酸ガラスおよび石英ガラスの他に微結晶性ガラス、透光性セラミックスならびに透光性単結晶体など種々の無機物質と、透光性有機物質たとえば透明性合成樹脂とのグループの中から任意に選択して用いることができる。また、可視光が外部に漏れないことが好ましいような使用にあっては、基材は実質的に可視光を透過しない材質のものを使用することができる。さらに、基材の形状、寸法および肉厚は任意に選べる。なぜなら、基材の背面から光照射して光触媒を活性化する場合に、基材を透過した光のエネルギーが触媒を活性化するのに必要なレベルにあるなら、基材に特に制約はないからである。
【００１２】
本発明の光触媒膜は、膜成分の屈折率に基づいて可視光線の干渉が起きない膜厚の範囲に膜形成することが重要であり、必要に応じて可視光透過率または光触媒活性が大きくなるような最適な温度で焼成を行う。
【００１３】
本発明において、光触媒膜が基材の少なくとも一部の領域に配設されるとは、基材の前面に光触媒膜を配設する必要はなく、所要の一部分に配設してもよいとの意味である。たとえば基材を装置本体に対して液密に装着するため、パッキングが当接するのであれば、基材の周辺部には光触媒膜を形成しないようにすることができる。
【００１４】
本発明の光源および照明器具は、基材の背面から光照射して光触媒を活性化するのに好適に構成されているが、本発明はこれに限定されるものではなく、必要に応じて光触媒の外表面から光を照射しても十分な光触媒作用を奏することが可能であり、したがって本発明はこのような使い方をも許容する。
【００１５】
光触媒の製造方法および基材への膜形成方法はどのようなものであってもさしつかえない。たとえば貴金属の存在下または不存在下で反応生成したチタンアルコキシドを加水分解して所望の酸化チタンを得ることができる。このようにして作製した酸化チタン膜は透明度が高く、しかも薄くて緻密な膜とすることができる。
【００１６】
被着液を基材に被着させる方法としては、たとえばスプレー法、ディッピング法、ＣＶＤ法など既知の方法を用いることができる。
【００１７】
そうして、本発明により得られた光源および照明器具は、基材の背面から光照射しても光は基材を透過して光触媒膜を活性化させるとともに、光触媒膜による可視光の吸収が少ないうえに干渉色がほとんど発生しないので、高い透明度を光触媒膜に付与することが可能である。したがって、たとえば窓材、タイルなど各種建材やランプ、照明器具などの電気機器、家具、車両、衛生製品などに適用が可能であり、その本来の機能を殆ど低下させないでさらに光触媒効果を発揮する。また、その触媒作用は主として有機質の汚れ（たとえば油膜、たばこの脂など）を分解して取り去る防汚に最適であり、長期間にわたって基材の機能を持続するとともに、美観を維持することができる。さらに、アセトアルデヒドなどの悪臭の原因となる物質や雑菌を分解する効果も期待できる。
【００１８】
請求項１および２の発明において、波長５５０ｎｍの可視光透過率が基材を除く光触媒膜のみで８３％以上であり、紫外線透過率が基材を除く光触媒膜のみで６８％以下であることが他の特徴である。本発明者は、請求項１および２の発明でさらに良好な可視光透過率が得られる光触媒膜の分光スペクトルを調べるために、以下の実験を行った。
【００１９】
（１）膜成分の屈折率に基づいて可視光線の干渉が起きない膜厚の範囲に膜形成する。ここでは、ソーダライムガラスからなる厚さ約４ｍｍの板状基材の一面にチタンアルコキシドにて得られた酸化チタン膜を６５０℃から８００℃で焼成して膜厚０．０５〜０．０７μｍの酸化チタン膜を有する光触媒体のサンプルを形成した。
【００２０】
（２）サンプルの他面から重水素ランプおよびハロゲンランプの光を照射する。このとき、膜形成面から透過した波長３６５ｎｍの強度は０．０１ｍＷ／ｃｍ２であった。サンプルの他面から光触媒膜に到達する波長４１０ｎｍ以下の光の強度は０．０１ｍＷ／ｃｍ２以上であれば、光触媒膜は十分な防汚作用を発揮することが他の実験により確認された。
【００２１】
（３）サンプルおよび光触媒膜が形成されていない同種のガラス基材を透過した光を分光測定器（「島津製作所」製ＵＶ２４００ＰＣ）によりそれぞれ測定し、サンプルを透過しないときの分光スペクトルを１００％として各波長の透過率を求める。
【００２２】
図１は、ガラス基材に光触媒膜を形成したサンプルの分光スペクトルを示すグラフである。図２は、図１からガラス基材のみの分光スペクトルを差引くことによって得られた光触媒膜のみの分光スペクトルを表すグラフである。
【００２３】
図１、２に示すように、可視光領域における干渉ピークはほとんど見られず、光触媒膜による光干渉の発生を極力低減できていることがわかる。また、図２から、このときの光触媒膜のみの波長５５０ｎｍの可視光透過率が約８５％であり、光触媒膜のみの紫外線透過率が約６２％であることがわかる。この範囲内であれば、十分な光触媒活性が得られるとともに、可視光透過率も高いことが確認された。
【００２４】
請求項１および２記載の発明は、基材上の少なくとも一部の領域に形成された光触媒膜の膜厚は、０．０１μｍないし０．１μｍの範囲内であることを特徴とする。
【００２５】
膜厚が０．０１μｍを下回ると、光触媒膜による光の吸収が極端に低下するため、また光触媒膜を必要な範囲でなるべく均一に形成することが困難となり、したがって光触媒の活性が低下するので、不可である。また、膜厚が０．３μｍを超えると、可視光の干渉により虹色の干渉色が発生する度合いが大きくなるため、やはり不可である。この光干渉をさらに抑えるには、膜厚を０．１μｍ以下とするのが好ましい。
【００２６】
光触媒膜が、酸化チタンを主成分とした場合、その屈折率（ｎ＝２．０）に基づいて可視光線の干渉が起きない膜厚が０．０１μｍないし０．１μｍの範囲であり、可視光透過率または光触媒活性が大きくなるような最適な温度で焼成を行う。
【００２７】
光触媒膜は、アナターゼ形酸化チタンを主成分とすることが望ましい。
【００２８】
ここでいう主成分とは、光触媒膜の全成分中、Ｘ線回折法によって測定した値を換算して得られる相対比率で５０重量％以上がアナターゼ形酸化チタンであることを意味する。光触媒作用は酸化チタン以外にも知られているが、光触媒作用が強く、無色透明な膜を得ることができるという理由から、アナターゼ形酸化チタンが好ましい。副成分としてはアナターゼ形酸化チタン以外の既知の各種光触媒物質（たとえばルチル形またはアモルファス状のＴｉＯ２、ＺｎＯ、ＷＯ３、Ｆｅ２Ｏ３、ＦｅＴｉＯ３、ＳｒＴｉＯ３、ＣｅＯ２、Ｔｂ２Ｏ３、ＭｇＯ、Ｅｒ２Ｏ３など）、光触媒作用を助長する貴金属（たとえばＰｔ、Ａｇ、Ｐｄ、Ａｕなど）またはその化合物およびその他適宜の物質を許容する。
【００２９】
また、チタンアルコキシドにて光触媒膜を形成するとき、特開平７−１１１１０４号公報に記載されているように４００℃という低い焼成温度では、膜はまだ結晶化がすすまず大部分がガラス質の状態である。
【００３０】
図３は、酸化チタン膜の焼成温度とアナターゼ形結晶の成分比との関係を表すグラフである。焼成温度を上げていくと結晶化が進み、図３で示すように６５０℃から８００℃でアナターゼ形結晶の比率が最高になる。８００℃を超えて焼成温度を高くすると結晶構造がルチル形に変化し、結晶粒界が成長して散乱が生じることから可視光透過率が低下するとともに、光触媒効果も低下する。
【００３１】
このように最適な温度にて焼成すると光触媒に有効なアナターゼ形酸化チタンの占める割合が大きくなり、光触媒活性に必要な紫外線の吸収量が大きくなることが相乗して光触媒効果が大きくなる。
【００３２】
光触媒膜が形成される基材は、ガラスであることが望ましい。
【００３３】
本発明によれば、ガラスは波長２５４ｎｍ以下の紫外線を相当の割合でカットするので、蛍光ランプに好適な光触媒体を提供することができる。また、ガラスは安価で加工がしやすいので、汎用性が向上する。
【００３４】
基材が可視光を透過する板状のガラスで成形されている場合、この基材の両面または片面に光触媒膜が形成されていることが望ましい。
【００３５】
請求項１の光源は、少なくとも波長４１０ｎｍ以下の光を透過する透光性材料製の気密容器と；容器外面の少なくとも一部の領域に可視光線の干渉が発生することがないように膜厚が０．０１μｍないし０．１μｍの範囲内で形成された波長５５０ｎｍの可視光透過率が波長３６５ｎｍの紫外線透過率より１５％以上高い光触媒膜と；気密容器内に配設した発光手段と；を具備していることを特徴とする。
【００３６】
光源としては、蛍光ランプなどの低圧水銀蒸気放電ランプ、高圧水銀ランプ、高圧ナトリウムランプなどの高輝度放電ランプなどの放電ランプと、ハロゲンランプなどの白熱電球などが含まれる。発光手段とは、放電ランプの場合は金属または金属ハロゲン化物およびまたは希ガスなどの放電媒体と、放電媒体に放電を生起させる電極などの手段とを主な構成要素とする。また、白熱電球の場合は発光フィラメントを主な構成要素とする。可視光の他に４１０ｎｍ以下の光を放射するものであれば、その種類は特に限定されない。また、殺菌ランプやブラックライトなどの主として紫外線を放射するように設計された光源も許容されることはいうまでもない。さらに、一般照明用の蛍光ランプの場合に、可視光の他に４１０ｎｍ以下の光も放射するが、４１０ｎｍ以下の光の含有量を増やしたいときには、蛍光体に４１０ｎｍ以下に発光のピークを有する蛍光体を適当量混合させることもできる。
【００３７】
本発明によれば、光束を低下させることなく活性度の強い光触媒作用を発揮するとともに、干渉色の発生を抑えたセルフクリーニング機能を備えた光源が提供される。さらに、雰囲気の消臭、殺菌作用も期待できる。
【００３８】
請求項２の照明器具は、光照射開口を有する照明器具本体と；照明器具本体に支持されて少なくとも波長４１０ｎｍ以下の光を発生する光源と；外面に照明器具本体の投光開口に配設され、可視光および波長４１０ｎｍ以下の光を透過する透光性部材と；この基材の両面または片面の少なくとも一部の領域に可視光線の干渉が発生することがないよう膜厚が０．０１μｍないし０．１μｍの範囲内でに形成された波長５５０ｎｍの可視光透過率が波長３６５ｎｍの紫外線透過率より１５％以上高い光触媒膜と；を具備していることを特徴とする。
【００３９】
本発明によれば、透光性部材に汚れの付かない照明器具を得ることができる。さらに、雰囲気の消臭、殺菌作用を期待できる。
【００４０】
請求項３は、請求項２記載の照明器具において、基材は、透光性カバーであることを特徴とする。
【００４１】
請求項４は、請求項２記載の照明器具において、基材は、透光性グローブであることを特徴とする。
【００４２】
【発明の実施の形態】
以下、本発明の実施の形態を図４ないし図７を参照して説明する。
【００４３】
図４は、本発明の光触媒体の一実施形態を示す要部拡大断面図である。図において、１は光触媒体、２は基材、３は光触媒膜である。基材２は少なくとも４１０ｎｍ以下の波長の光を透過する板状のガラスである。光触媒膜３は、チタニアアルコキシドをディップコーティング法によって基材の膜形成面に塗布した後、乾燥させ、約６５０〜８００℃で約３０秒〜５分間焼成して光触媒膜を形成する。
【００４４】
光触媒膜３の膜厚ｄは略０．０１μｍ〜０．１μｍの範囲内としてある。
【００４５】
また、光触媒膜３の酸化チタンの結晶性は、酸化チタン膜形成時の焼成温度が約６５０℃〜８００℃のときにアナターゼ形が顕著となる。約４００℃ではアモルファス（非晶質）とアナターゼ形の混成状態に、また約９００℃では球状の結晶粒が成長してアナターゼ形とルチル形の混成状態に、それぞれ形成される。
【００４６】
酸化チタン（ＴｉＯ２）の場合には、そのバンドギャップエネルギーは３ｅＶなので、光のエネルギーは波長で表すと約４１０ｎｍとなり、約４１０ｎｍ以下の波長の紫外線が照射されることによって光触媒作用を生じることになる。
【００４７】
基材２の裏面２ｂから蛍光ランプＬの光が入射され、光触媒膜３を透過した光にはほとんど光干渉が発生せず、無色透明であることが確認できた。
【００４８】
また、基材２を透過したときの４１０ｎｍ以下の波長のエネルギー強度が０．０１ｍＷ／ｃｍ２以上あれば、光は光触媒膜３を必要な程度に活性化するので、光触媒体１をして所望の汚れ分解力を発揮する。そして、光触媒膜３面における吸着物質たとえばたばこのヤニは、蛍光ランプ点灯後、数時間で良好に分解される。したがって、本発明の光触媒体は、有機物による汚染に対して優れた清浄化機能を呈する。
【００４９】
この光触媒体１は、例えば照明器具、ＯＡ機器用ディスプレイまたはショーケース等に用いられるカバーガラスとして使用することができる。
【００５０】
図５は、本発明の光源の一実施形態である蛍光ランプの一部切欠斜視図である。この蛍光ランプは、ＪＩＳ規格でＦＬ４０ＳＳと表示される定格電力３７Ｗの低圧水銀蒸気放電ランプを示しており、図中２７は透光性気密材料製の気密容器としてのソーダライムガラスからなるガラスバルブであって、バルブ外径が２８ｍｍ、管長１１９８ｍｍ程度の大きさをなし、３００ｎｍ以上の紫外線を含む光を透過する。そして、このバルブ２７の両端部はステム２８により封止されており、ステム２８はリード線２９が気密に導入されている。また、リード線２９の内端にはタングステンワイヤなどにより２重または３重コイルに巻回されたフィラメント電極３０が装着されており、図示しないエミッタが被着されている。バルブ２７の内面にはアルミナなどの既知の材質および構成であることを許容する保護膜を介してまたは介さないで、たとえば３波長発光形蛍光体を主成分とし、必要に応じて３００ｎｍ〜４１０ｎｍの間にピーク発光を呈する蛍光体を混合してなる蛍光体層３１が被着され、また外周面にはその実質的全面にたり光触媒膜３２が形成されている。光触媒膜３２は、前述の各実施形態の場合と同様の条件で作製することができる。なお、３３は口金、３４は口金ピンである。なお、３波長発光形蛍光体としては次のものを用いることができる。たとえば６１０ｎｍ付近にピーク波長を有する赤系蛍光体としては、Ｙ２Ｏ３：Ｅｕ３＋を用いる。また、５４０ｎｍ付近にピーク波長を有する緑系蛍光体としては、（Ｌａ，Ｃｅ，Ｔｂ）ＰＯ４を用いる。さらに、４５０ｎｍ付近にピーク波長を有する青系蛍光体としては、ＢａＭｇ２Ａｌ１６Ｏ２７：Ｅｕ２＋を用いる。紫外線発光蛍光体としては、ユーロピウム付活アルカリ土類金属ホウ酸塩、鉛付活アルカリ土類ケイ酸塩、ユーロピウム付活アルカリ土類金属リン酸塩、またはユーロピウム付活アルカリ土類金属ホウ酸塩にハロゲンが添加された蛍光体の少なくとも１種類以上を用いることができる。ユーロピウム付活アルカリ土類金属ほう酸塩としては、たとえば３６８ｎｍにピーク波長をもつＳｒＢ４Ｏ７：Ｅｕ２＋が有効であり、鉛付活アルカリ土類ケイ酸塩としては３７０ｎｍにピーク波長をもつ（Ｂａ，Ｓｒ，Ｍｇ）３Ｓｉ２Ｏ７：Ｐｂ２＋や３５０ｎｍにピーク波長をもつＢａＳｉ２Ｏ５：Ｐｂ２＋などが好適であり、またユーロピウム付活アルカリ土類金属アルミン酸塩としては３５８〜３６０ｎｍにピーク波長をもつものなどが有効である。なお、紫外線発光蛍光体としては、ＳｒＢ４Ｏ７：Ｅｕ２＋を用い、その混合比は蛍光体層２８の１〜１０質量％の割合である。
【００５１】
さらに、前記バルブ２７内には所定量の水銀とアルゴンなどの不活性ガスが封入されている。
【００５２】
図６は、本発明の照明器具の一実施形態であるトンネル用照明器具を示す斜視図である。
【００５３】
トンネル用照明器具３６は、中空の薄箱直方体の器具本体３７を有し、この器具本体３７の下面に投光開口３８が形成され、器具本体３７の背面には取付用の板状の取付脚が形成されている。また、器具本体３７内には開口３８に対向して開口３８方向に向けて光を反射する曲面上の反射板が取り付けられている。この反射板の長手方向の一端側にはランプソケットが取付けられており、このランプソケットには、３００ｎｍないし４００ｎｍの紫外線量を１０００ｌｍ当たり０．０５Ｗ以上放射する光源としての高圧ナトリウムランプＬ’が着脱自在に取り付けられる。
【００５４】
開口３８は器具本体３７の一部をなす枠体３７ｂに形成されており、枠体３７ｂの開口３８には平板状の強化ガラス製の透光性部材としての透光性カバー３９が装着されている。枠体３７ｂは一側に設けられた蝶番３７ｃにより器具本体３７に開閉可能に取付けられ、開口３８の他側に設けられたラッチにて、枠体３７ｂが閉塞した状態で器具本体３７に保持される。さらに、器具本体３７には、枠体３７ｂを器具本体３７に閉塞した状態で水密にシールするパッキング３７ｄが取付けられている。
【００５５】
透光性カバー３９の外表面側には、上記実施形態と同様に、光触媒膜が形成されている。そして、本実施形態も、高圧ナトリウムランプＬ’を点灯させることにより、上記実施形態と同様の作用および効果を奏する。
【００５６】
図７は、本発明の照明器具の他の実施形態を示す道路灯の断面図である。この照明器具は、高輝度放電ランプＬ’’を光源として備えている。高輝度放電ランプＬ’’は、たとえば高圧水銀蒸気放電ランプからなり、器具本体４０内に収納されている。４１は透光性部材としてのグローブである。グローブ４１の外表面には光触媒膜が形成されている。なお、図において４３は器具本体内の反射板、４４は支柱で、器具本体４０を高所に支持する。
【００５７】
なお、この透光性カバー３９またはグローブ４１の内面に光触媒膜が形成されていても、これら透光性部材を透過する光が活性化に必要なレベルにあれば構わない。本発明はこのような照明器具の場合に、透光性部材の外表面に光触媒膜を形成することにより、光干渉の発生を抑えて被照射体に着色光が照射されることを防止するとともに、セルフクリーニング機能を備えたメンテナンスの容易な照明器具を提供できる。
【００５８】
【発明の効果】
本発明によれば、可視光透過率が高くかつ可視光の干渉色の発生を抑えることができるとともに、光触媒効果を損なうことのない光触媒を利用した光源および照明器具を提供することができる。
【図面の簡単な説明】
【図１】本発明の光触媒体の実験としてガラス基材に光触媒膜を形成したサンプルの分光スペクトルを示すグラフ。
【図２】同上の光触媒膜のみの分光スペクトルを表すグラフ。
【図３】同上の光触媒膜が酸化チタンでその焼成温度とアナターゼ形結晶の成分比との関係を表すグラフ。
【図４】本発明の光触媒体の一実施形態を示す要部拡大断面図。
【図５】本発明の光源の一実施形態である蛍光ランプの一部切欠斜視図。
【図６】本発明の照明器具の一実施形態であるトンネル用照明器具を示す斜視図。
【図７】本発明の照明器具の他の実施形態を示す道路灯の断面図。
【符号の説明】
１…光触媒体、２…基材、３…光触媒膜。
【図１】
0003573392.tif 000002
【図２】
0003573392.tif 000003
【図３】
0003573392.tif 000004
【図４】
0003573392.tif 000005
【図５】
0003573392.tif 000006
【図６】
0003573392.tif 000007
【図７】
0003573392.tif 000008